(57)【特許請求の範囲】
【請求項１】
携帯プリンタに取り付けられ、プラグを保持するプラグプロテクタであって、前面から裏面に達するプラグ挿入孔を備えるとともに、前期プラグ挿入孔に隣接して前面に開口し、上側面から下側面まで達するコード収容溝を備え、さらに、前記溝の開口を覆い、前記コード収容溝に収容したコードを前記溝内に押圧保持するキャップを備え、前記プラグ挿入孔と前記コード収容溝は携帯プリンタの側面に沿って配置したことを特徴とする携帯プリンタのプラグプロテクタ。
【請求項２】
前記キャップの両面に前記コードを押圧保持するための高さの異なる凸部をそれぞれ形成したことを特徴とする請求項１に記載の携帯プリンタのプラグプロテクタ。
【発明の詳細な説明】
【０００１】
【発明の属する技術分野】
本発明は携帯プリンタのプラグプロテクタに関するものである。
【０００２】
【従来の技術】
売り場で、値段やバーコードをラベルに印刷するために、図４に示したような携帯プリンタ１が使用されている。この携帯プリンタ１は、該プリンタ１の側面に配設したコネクタ２を介してコードが接続され、該コードによって制御装置に接続される。
【０００３】
この携帯プリンタ１は、裏面側に配設したクリップを作業者のベルト等に係合させて売り場内を移動される。そして、プリントボタン３を１回操作する毎に１枚分のラベルが印字され、印字されたラベルはラベル取出口４から排出される。印字に必要なデータは、制御装置から送られる。
【０００４】
【発明が解決しようとする課題】
ところで、携帯プリンタ１が売り場内を移動されると、それに伴って、コードも引き回されることになるが、その際にコードのプラグが携帯プリンタ１のコネクタ２から外れる虞れがあり、また長期にわたっては、コードとプラグとの連結部に繰り返し折り曲げ荷重がかかるため、コードが損傷する虞れもある。
【０００５】
本発明はかかる事情に鑑みてなされたもので、コードの損傷を防ぎ、かつコードのプラグが携帯プリンタのコネクタから外れるのを確実に防止した携帯プリンタのプラグプロテクタを提供することを目的としている。
【０００６】
【課題を解決するための手段】
前記目的を達成するために、本発明に係る請求項１の携帯プリンタのプラグプロテクタでは、携帯プリンタに取り付けられ、プラグを保持するプラグプロテクタであって、前面から裏面に達するプラグ挿入孔を備えるとともに、前期プラグ挿入孔に隣接して前面に開口し、上側面から下側面まで達するコード収容溝を備え、さらに、前記溝の開口を覆い、前記コード収容溝に収容したコードを前記溝内に押圧保持するキャップを備え、前記プラグ挿入孔と前記コード収容溝は携帯プリンタの側面に沿って配置したことを特徴としている。
【０００７】
この発明によれば、携帯プリンタに取付けたプラグプロテクタのプラグ挿入孔にプラグを挿入して、該プラグをプラグプロテクタに保持させるとともに、該プラグを携帯プリンタのコネクタに接続させ、さらに、コードをプラグプロテクタのコード収容溝に嵌入させ、かつキャップで該溝内のコードを押圧することによってコードをそこに確保させる。
【０００８】
したがって、プラグに引き抜き力が作用しないので、プラグが携帯プリンのコネクタから外れる虞れはなく、しかもコードとプラグとの連結部にも繰り返し折り曲げ荷重がかかることがないので、コードの耐久性を高めることができる。
【０００９】
また、本発明に係る請求項２の携帯プリンタのプラグプロテクタでは、請求項１の発明において、前記キャップの両面に前記コードを押圧保持するための高さの異なる凸部をそれぞれ形成したことを特徴としている。
【００１０】
この発明によれば、コードの太さに応じて凸部を選択できる。即ち、コードが太い場合には背の低い凸部をコードに当接させ、コードが細い場合には、背の高い凸部をコードに当接させる。したがて、コードの太さが変わっても、いずれの場合にも対応が可能になる。
【００１１】
【発明の実施の形態】
以下添付図面に従って本発明に係る携帯プリンタのプラグプロテクタの好ましい実施の形態について説明する。
【００１２】
図１は本発明に係るプラグプロテクタと、該プラグプロテクタを取付ける携帯プリンタを示した斜視図、図２は本発明に係るプラグプロテクタを拡大して示した斜視図、図３は本発明に係るプラグプロテクタによってプラグおよびコードを取り付けた状態を示した携帯プリンタの要部拡大斜視図である。
【００１３】
このプラグプロテクタ（以下、単にプロテクタという）１０は、ケース本体１１とキャップ１２とによって構成されている。
【００１４】
ケース本体１１には、前面１１ａから裏面１１ｂに達するプラグ挿入孔１３が形成されている。また、ケース本体１１には、プラグ挿入孔１３に隣接して前面に開口し、一方の側面（図２における上側面）１１ｃから他方の側面（図２における下側面）１１ｄまで達するコード収容溝１４が形成されている。そして、コード収容溝１４とケース本体１１の端側面１１ｅとの間には、前面１１ａに開口し、端側面１１ｅからコード収容溝１４まで達する切欠き１５が形成され、該切欠き１５の底面１５ａにはネジ穴１６が形成されている。また、コード収容溝１４とプラグ挿入孔１３との間の隔壁１１ｆには、ノッチ１７が形成されている。さらに、このケース本体１１の裏面１１ｂには、爪１８と内部に貫通孔１９ａを有し、母線に沿ってスリット１９ｂが形成されたボス１９がぞれぞれ立設されている。
【００１５】
そして、このように形成されたケース本体１１は、爪１８を携帯プリンタ１におけるコネクタ２の周縁に形成した角孔２０に係合させるとともに、ボス１９を孔２１に嵌挿させ、次いで、ボス１９の貫通孔１９ａにネジ２２を螺入させ、ボス１９を押し広げることによって、携帯プリンタ１の側面に係止される。
【００１６】
また、キャップ１２は、矩形状の板体によって形成され、一方の面１２ａに背の低い凸部２３と他方の面１２ｂに背の高い凸部２４を備えており、さらに、一方の面１２ａから他方の面１２ｂまで達するネジ挿通孔２５を有している。
【００１７】
このように構成されたプロテクタ１０を備えた携帯プリンタ１では、図３に示したように、コード３０のプラグ３１をプラグ挿入孔１３に挿入して携帯プリンタ１のコネクタ２に連結し、コード３０をコード収容溝１４に嵌入させる。そして、キャップ１２の先端をケース本体１１のノッチ１７に引っかけて、切欠き１５内に装填させ、ネジ２６をネジ挿通孔２５に挿入させ、先端をケース本体１１のネジ穴１６に螺合させる。すると、コード３０は、キャップ１２の凸部２３によってケース本体１１のコード収容溝１４内に定着される。なお、コード３０が細い場合には、キャップ１２を裏返しにしてケース本体１１に締結すればよい。この場合には、凸部２４の背が高いので、細いコード３０も確実に定着させることができる。
【００１８】
なお、上記実施の形態で示したプロテクタ１０は、裏面に形成した爪１８を携帯プリンタ１の角形孔２０に係合させるとともに、ボス１９を孔２１に挿入させた上で、ネジ２２によって携帯プリンタ１に取付けているが、プロテクタ１０の取付けは、他の方法、例えば両面テープを使用して接着させてもよく、接着剤によって直接固定してもよい。
【００１９】
【発明の効果】
以上説明したように、本発明の携帯プリンタのプラグプロテクタによれば、携帯プリンタに取付けたプラグプロテクタのプラグ挿入孔にプラグを挿入して、該プラグをプラグプロテクタに保持させるとともに、該プラグを携帯プリンタのコネクタに接続させ、さらに、コードをプラグプロテクタのコード収用溝に嵌入させ、かつキャップで該溝内のコードを圧着することによってコードをそこに確保させる。
【００２０】
したがって、プラグに引き抜き力が作用しないので、プラグが携帯プリンタのコネクタから外れる虞れはなく、しかもコードとプラグとの連結部にも繰り返し折り曲げ荷重がかかることがないので、コードの耐久性を高めることができる。
【００２１】
また、コードの太さに応じて、キャップの凸部を選択でき、コードの太さが変わっても、いずれの場合にも対応が可能になる。
【図面の簡単な説明】
【図１】本発明に係るプラグプロテクタと、該プラグプロテクタを取付ける携帯プリンタを示した斜視図である。
【図２】図１の要部を拡大して示した斜視図である。
【図３】本発明に係るプラグプロテクタによってプラグおよびコードを取り付けた状態を示した携帯プリンタの要部拡大斜視図である。
【図４】本発明が適用される従来の携帯プリンタを示した斜視図である。
【符号の説明】
１０…プラグプロテクタ、１１…ケース本体、１１ａ…前面、１１ｂ…裏面、１１ｃ，１１ｄ…側面、１１ｅ…端側面、１１ｆ…隔壁、１２…キャップ、１２ａ，１２ｂ…面、１３…プラグ挿入孔、１４…コード収容溝、１５…切欠き、１５ａ…底面、１６…ネジ穴、１７…ノッチ、１８…爪、１９…ボス、１９ａ…貫通孔、１９ｂ…スリット、２０…角孔、２１…孔、２２…ネジ、２３，２４…凸部、２５…ネジ挿通孔、２６…ネジ、３０…コード、３１…プラグ
【図１】
0004592983.tif 000002
【図２】
0004592983.tif 000003
【図３】
0004592983.tif 000004
【図４】
0004592983.tif 000005